(57)【要約】【課題】橋梁の高欄部の外側壁面に塗装等の補修作業を行う移動足場装置であって、この足場装置の移動途上に電源ボックスや鉄柱等の障害物が存在していても、この障害物を避けながら補修作業が行えるようにする。【解決手段】高欄部の上端面上を転動する頂部車輪４を備えた支持フレーム１に高欄部Ｂの内側壁面Ｂ２の上端部に当接しながら転動する側部車輪７を前後と中間部とに装着すると共に支持フレーム１に支持された足場用フレーム２の内側フレーム部２Ｂに高欄部Ｂの外側壁面Ｂ１に当接しながら転動する複数個の側部車輪５を装着してなる移動足場装置であって、上記内側の前後及び中央部に装着した側部車輪７を取外し可能に装着して障害物Ｃに対向した側部車輪７を一旦取外してそれ以外の車輪により足場用フレーム２を支持しながら前進移動させて作業を行い、障害物Ｃが通過後、元の位置に側部車輪７を装着するように構成している。【選択図】　　図４
2004100192.tif 000002
【特許請求の範囲】
【請求項１】
橋梁の高欄部の上端面上を転動する複数個の頂部車輪を高欄部の長さ方向に所定間隔毎に取付けている平面長方形状の支持フレームに高欄部の外側壁面に沿わせた足場用フレームの上端部を固着、支持させると共に、この足場用フレームと上記支持フレームとに高欄部の上端部における内外側壁面を挟むようにして転動する側部車輪を装着して足場用フレームを橋梁の高欄部の外側壁面に沿って高欄部の長さ方向に移動させるように構成した移動足場装置において、上記内側の側部車輪を支持フレームの長さ方向の少なくとも３個所に間隔を存して配設すると共にこれらの側部車輪を支持フレームに対して着脱自在に取付けていることを特徴とする橋梁高欄部の移動足場装置。
【請求項２】
内側の側部車輪は逆Ｌ字状の車輪フレームにおける垂直フレーム部の下端部に回転自在に軸支されてあり、この車輪フレームにおける水平フレーム部の先端部を支持フレームに長さ方向に所定間隔毎に固着している足場用フレームの角筒状上端横水平フレーム部に取外し可能に挿入、固定していることを特徴とする請求項１に記載の橋梁高欄部の移動足場装置。
【請求項３】
支持フレームに足場用フレームの角筒状上端横水平フレーム部と共に、車輪フレームの水平フレーム部の先端部を挿脱自在に固定させる角筒部材を一体に設けて、車輪フレームの取付位置を異なる位置に変更可能に構成していることを特徴とする請求項１又は請求項２に記載の橋梁高欄部の移動足場装置。
【請求項４】
外側の側部車輪は足場用フレームの内側フレーム部に取付けられていると共に、この内側フレーム部の上部を側部車輪と共に支持フレームに対して着脱自在に連結していることを特徴とする請求項１に記載の橋梁高欄部の移動足場装置。
【発明の詳細な説明】
【０００１】
【発明の属する技術分野】
本発明は、高架路線等の橋梁の側壁である高欄部に対して、樹脂液の吹き付け塗装等の補修作業を行うための移動足場装置に関するものである。
【０００２】
【従来の技術】
従来から、橋梁における高欄部の外側壁面に塗装等の作業を行うには図１５、図１６に示すような移動足場装置Ａ’を使用して行っている。この移動足場装置Ａ’は、足場用フレーム２１の上端内側部に車輪用フレーム部２２を一体に設け、この車輪用フレーム部２２に高欄部Ｂの上端面を転動する頂部車輪２３と高欄部Ｂの上端部における内外側壁面を挟むようにして転動する側部車輪又は摺接部材２４、２５を装着して足場用フレームを高欄部Ｂの外側壁面に沿って移動させるように構成している。そして、足場用フレーム２１には上部作業床２６と下部作業床２７とが備えられてあり、作業員がこれらの作業床２６、２７上に搭乗して足場装置Ａ’を高欄部Ｂの外側壁面に沿って移動させながら該高欄部Ｂの外側壁面や外底面部分に対する塗装作業を行っている。なお、このような移動足場装置に類似した装置としては、例えば特許文献１等がある。
【０００３】
【特許文献１】
実公平３−５５６１８号公報（第１〜２頁、図１）。
【０００４】
【発明が解決しようとする課題】
しかしながら、このような移動足場装置Ａ’によれば、高欄部の内側壁面の近傍部に電源ボックスや中継盤、鉄柱、控えワイヤーなどが配設されていると、これらが障害物となって足場装置を移動させることができなく、一旦、作業を中断して足場装置を引き上げ、これらの障害物を乗り越えた位置に再び吊り下ろして移動可能に配設するといった煩雑な作業を必要とし、障害物の設置部分に対応する高欄部Ｂの外側壁面に塗装が行えない部分が生じる虞れがあるばかりでなく、作業能率が低下するという問題点があった。
【０００５】
本発明はこのような問題点に鑑みてなされたもので、その目的とするところは、橋梁の高欄部の近傍部に電源ボックスや中継盤等の障害物が存在しても、これらの障害物を乗り越えるように移動しながら高欄部に対する塗装等の作業を連続的に行えるようにした橋梁高欄部の移動足場装置を提供するにある。
【０００６】
【課題を解決するための手段】
上記目的を達成するために、本発明の橋梁高欄部の移動足場装置は、請求項１に記載したように、橋梁の高欄部の上端面上を転動する複数個の頂部車輪を高欄部の長さ方向に所定間隔毎に取付けている平面長方形状の支持フレームに高欄部の外側壁面に沿わせた足場用フレームの上端部を固着、支持させると共に、この足場用フレームと上記支持フレームとに高欄部の上端部における内外側壁面を挟むようにして転動する側部車輪を装着して足場用フレームを橋梁の高欄部の外側壁面に沿って高欄部の長さ方向に移動させるように構成した移動足場装置において、上記内側の側部車輪を支持フレームの長さ方向の少なくとも３個所に間隔を存して配設すると共にこれらの側部車輪を支持フレームに対して着脱自在に取付けた構造としている。
【０００７】
さらに、このように構成した移動足場装置において、請求項２に係る発明は、高欄部の上端部における内側壁面上を転動する内側の側部車輪を逆Ｌ字状の車輪フレームにおける垂直フレーム部の下端部に回転自在に軸支し、この車輪フレームにおける水平フレーム部の先端部を上記支持フレームに長さ方向に所定間隔毎に固着している上記足場用フレームの角筒状上端横水平フレーム部に取外し可能に挿入、固定していることを特徴とするものである。
【０００８】
また、請求項３に係る発明は、上記支持フレームに足場用フレームの角筒状上端横水平フレース部と共に、上記車輪フレームの水平フレーム部の先端部を挿脱自在に固定させる角筒部材を一体に設けて、車輪フレームの取付位置を異なる位置に変更可能に構成している。
【０００９】
一方、請求項４に係る発明は、高欄部の上端部における外側壁面上を転動する外側の側部車輪を足場用フレームの内側フレーム部に取付けていると共に、この内側フレーム部の上部を上記側部車輪と共に支持フレームに対して着脱自在に連結した構造としている。
【００１０】
【作用】
橋梁の高欄部に頂部車輪及び内外側部車輪を介して支持フレームに吊支状態で支持されている足場用フレーム内に作業員が搭乗し、この足場用フレームが対面している高欄部の外側壁面に樹脂液の吹き付け塗装を行う。この外側壁面部に対する塗装作業が終了すると、上記車輪を回転駆動することによって足場装置全体を高欄部の外側壁面に沿って次の塗装位置まで水平移動させ、先に塗装した部分に連続する塗装作業を行う。なお、作業能率に応じて足場装置全体をゆっくりと移動させながら足場用フレーム内から高欄部の外側壁面に対する塗装作業を連続的に行ってもよい。
【００１１】
この塗装作業中において、高欄部の内側壁面の近傍部に配設している電源ボックス等の障害物に達すると、足場装置を一旦停止させて橋梁側から障害物に対向した先行する端部側の側部車輪を取外し、しかるのち、この側部車輪以外の車輪を転動させることによって足場装置を水平移動させ、取り外した端部側の側部車輪とこの側部車輪に隣接する次の中間側部車輪との間に障害物を位置させたのち、端部側の側部車輪を再び支持フレームの端部に取付け、しかるのち、上記中間側部車輪を取り外して足場装置を水平移動させることにより、障害物を該中間側部車輪の取り外した部分を通過させる。
【００１２】
こうして、足場装置を移動させるに従って障害物に突き当たる側部車輪を順次取外し、障害物が相対的に通過したのち再び元の位置に側部車輪を装着する作業を繰り返し行いながら、足場装置の移動に従って足場用フレームが対面する高欄部の外側壁面に塗装作業を連続的に行うものである。
【００１３】
足場用フレームは所定間隔を存して平行に対向している内外フレーム部の上下端間を、所定間隔毎に複数本の横水平フレーム部によって一体に連結して箱形状に形成し、底面部に作業床を敷設している構造を有しているが、上記上端側の横水平フレーム部は角筒状に形成されていてその一部を足場用フレームの内側フレーム部の上端から内方に突出させ、この突出部を支持フレーム上に溶接等によって一体に固着することにより該足場用フレームを支持フレームの外側端縁から下方に垂下させた構造としている一方、上記側部車輪を逆Ｌ字状の車輪フレームにおける垂直フレーム部の下端部に回転自在に軸支させてこの車輪フレームにおける水平フレーム部の端部を上記足場用フレームにおける横水平フレーム部の突出部に取外し可能に挿入、固定しておくことによって、側部車輪の着脱が容易に行え、障害物を円滑に通過させながら足場装置を高欄部の外側壁面に沿って移動させて塗装等の補修作業を能率よく行うことができる。
【００１４】
また、請求項３に記載したように、上記支持フレームに足場用フレームの角筒状上端横水平フレーム部と共に、車輪フレームの水平フレーム部の先端部を挿脱自在に固定させる別な角筒部材を１個所乃至数カ所に固着して、車輪フレームの取付位置を異なる位置に変更可能に構成しておくことにより、障害物の幅が隣接する側部車輪間の幅よりも大きい場合には、中間の側部車輪の取付位置を変えることによって、隣接する側部車輪間の幅間隔を障害物の幅よりも大きくすることができ、従って、上述したように障害物に対向した側部車輪の車輪フレームを順次、取外すと共に障害物が通過後に装着して足場装置をその他の車輪により安定的に支持させながら移動させて高欄部の補修作業が行うことができる。
【００１５】
一方、高欄部の外側壁面上を転動する外側の側部車輪を、足場用フレームの内側フレーム部に取付けて、この内側フレーム部の上部を側部車輪と共に支持フレームに対して着脱自在に連結しておくことにより、高欄部の外側壁面に上記のような障害物が存在していても、上記内側の側部車輪と同様に、この外側の側部車輪を取付けている足場用フレームの内側フレーム部を取外し、障害物が通過後に装着することによって足場装置を高欄部の外側壁面に沿って水平方向に連続的に移動させながら塗装作業等を能率よく行うことができるものである。
【００１６】
【発明の実施の形態】
次に、本発明の具体的な実施の形態を図面について説明する。図１〜図３において、移動足場装置Ａは橋梁の側壁である高欄部Ｂの上端面上を転動する複数個の頂部車輪４、４・・・を高欄部Ｂの長さ方向に所定間隔毎に取付けている支持フレーム１と、この支持フレーム１にその上端内側部を一体に連結、固着させて支持フレーム１の外側面から高欄部Ｂの外側壁面Ｂ１に沿って垂設している足場用フレーム２と、この足場用フレーム２の内側フレーム部２Ｂの上下部に回転自在に支持されて高欄部Ｂの外側壁面Ｂ１の上端部と下端部とに当接して水平方向に転動する複数個の外側の上下側部車輪５、６と、支持フレーム１の内側方において該支持フレーム１の長さ方向に所定間隔毎に取付けられ、高欄部Ｂの上端部における内側壁面Ｂ２に当接して水平方向に転動する複数個の内側の側部車輪７とからなり、該側部車輪７は支持フレーム１に対して着脱自在に装着されている。
【００１７】
この移動足場装置Ａの構造をさらに詳しく説明すると、上記支持フレーム１は一定長さを有する側面横長長方形状の角棒材からなる内外水平枠部材１ａ、１ｂを高欄部Ｂの厚みよりも小なる間隔を存して平行に対設し、これらの内外水平枠部材１ａ、１ｂの前後両端部間を連結部材１ｃ、１ｃによって一体に連結して高欄部Ｂの長さ方向に長い平面長方形状に形成してあり、この内外水平枠部材１ａ、１ｂ間に上記頂部車輪４、４・・を長さ方向、即ち、前後方向に一定間隔毎（図においては前後端部と中間部との３個所）に配設してその中心部を内外水平枠部材１ａ、１ｂ間に支持させている軸８により回転自在に支持されている。また、これらの頂部車輪４のうち、１個の頂部車輪４を支持フレーム１に取付けている駆動モータ９により回転させるように構成していると共にこの駆動モータ９を遠隔操作によって作動させるようにしている。
【００１８】
足場用フレーム２は、前後方向に長い一定幅と長さを有する平面長方形状の底枠部２Ａの内外側端部上に上下方向の長さが高欄部Ｂの高さよりも長く且つ高欄部Ｂに沿った前後方向の幅が底枠部２Ａの長さに等しい幅に形成している縦長矩形枠状の内外フレーム部２Ｂ、２Ｃを互いに平行に対向させた状態で立設していると共に、これらの内外フレーム部２Ｂ、２Ｃの上端部間に上記底枠部２Ａと同大、同形の天枠部２Ｄを一体に固着して箱形状に形成していると共に上下方向の長さの中央部と上記底枠部２Ａとに作業床１０、１１を敷設している。なお、この足場用フレーム２には適所に手摺りや安全性を高めるための補強兼用桟部材を取付けている。
【００１９】
足場用フレーム２における上記内側フレーム部２Ｂの前後垂直枠部２ｂ１　、２ｂ２　と中央垂直枠部２ｂ３　とには、その上下部に高欄部Ｂの外側壁面Ｂ１の上下端部にそれぞれ当接して水平方向に転動する上記外側の上下側部車輪５、６が装着されていると共に、これらの垂直枠部２ｂ１　〜２ｂ３　の上端に、上記天枠部２Ｄの前後端部と中央部とにおいて足場用フレーム２の横幅方向に配設している角筒状の横水平フレーム部２ｄ１　〜２ｄ３　の内側端部下面を一体に固着してあり、これらの角筒状の横水平フレーム部２ｄ１　〜２ｄ３　の外側端面を足場用フレーム２における上記外側フレーム部２Ｃの前後及び中央垂直枠部２ｃ１　〜２ｃ３　の上端に一体に固着してある。
【００２０】
さらに、上記角筒状の横水平フレーム部２ｄ１　〜２ｄ３　の内側端部を上記支持フレーム１に向かって内方に突出させ、この突出角筒部２ｄ１’〜２ｄ３’を支持フレーム１の内外水平枠部材１ａ、１ｂ上に直交状態に配して溶接等により水平枠部材１ａ、１ｂに一体に固着している。
【００２１】
一方、内側の側部車輪７は、図４に示すように水平フレーム部３ａの内端に下方に向かって一定長さの垂直フレーム部３ｂを一体に設けてなる逆Ｌ字状の車輪フレーム３における上記垂直フレーム部３ｂの下端部に回転自在に軸支されてあり、この側部車輪７を有する車輪フレーム３を３本、上記前後及び中央部の横水平フレーム部２ｄ１　〜２ｄ３　における突出角筒部２ｄ１’〜２ｄ３’にそれぞれ取外し（抜き取り）可能に挿入して、ボルト・ナット１２により固定している。
【００２２】
なお、内側の側部車輪７を、上記足場用フレーム２における内側フレーム部２Ｂの前後垂直枠部２ｂ１　、２ｂ２　と中央垂直枠部２ｂ３　との上端部に装着している外側の側部車輪５に対向させてこれらの内外側部車輪５、７により高欄部Ｂの上端部における長さ方向の３個所を挟着させた状態で足場用フレーム２を高欄部Ｂの外側壁面に沿って水平方向に移動させるように構成しているが、前後端部に装着している側部車輪５、７間に上記中央部に装着している側部車輪５、７以外に１〜数個の側部車輪５、７を配設しておいてもよい。
【００２３】
さらに、上記車輪フレーム３を装着している突出角筒部２ｄ１’〜２ｄ３’を有する横水平フレーム部２ｄ１　〜２ｄ３　以外に、図３、図４に示すように、支持フレーム１の内外水平枠部材１ａ、１ｂ上の後部又は前後部に、支持フレーム１の幅方向に向けて車輪フレーム３を装着していない角筒部材１３、１４を固着してあり、これらの角筒部材１３、１４に車輪フレーム３を装着して車輪フレーム３の取付位置を変更するように構成している。
【００２４】
横水平フレーム部２ｄ１　〜２ｄ３　における上記突出角筒部２ｄ１’〜２ｄ３’や角筒部材１３、１４に対する車輪フレーム３の水平フレーム部３ａの固定は、突出角筒部２ｄ１’〜２ｄ３’や角筒部材１３、１４に上下面間に貫通するボルト挿通孔１５、１５を設けておく一方、車輪フレーム３の水平フレーム部３ａにもこれらのボルト挿通孔１５に連通させるボルト挿通孔１６を上下面間に亘って貫設しておき、車輪フレーム３の水平フレーム部３ａを突出角筒部２ｄ１’〜２ｄ３’又は角筒部材１３、１４に挿入してボルトを上記挿通孔１５、１６に挿通し、ナットを螺締することによって行われる。
【００２５】
このように構成した移動足場装置Ａによって橋梁の高欄部Ｂの外側壁面Ｂ１に対する塗装作業を行うには、図１〜図３に示すように、足場用フレーム２を高欄部Ｂの外側壁面Ｂ１に沿わせ、支持フレーム１に配している頂部車輪４を高欄部Ｂの上端面に載せると共に外側の側部車輪５、６を高欄部Ｂの外側壁面Ｂ１の上下部に当接させ、内側の側部車輪７を高欄部Ｂの上端部内側壁面Ｂ２に当接させて、足場用フレーム２を高欄部Ｂの外側壁面Ｂ１に沿って安定した状態で前後方向に走行できるように足場用フレーム２を吊支する。
【００２６】
この状態にして足場用フレーム２の上下作業床１０、１１上に作業員が搭乗し、上側作業床１０上の足場用フレーム２内の上側作業室を通じて該作業室に対面した高欄部Ｂの外側壁面Ｂ１の上半部に対する樹脂液等の吹き付けによる塗装作業を行うと共に下側作業床１１上の足場用フレーム２内の下側作業室を通じて該作業室に対面した高欄部Ｂの外側壁面Ｂ１の下半部に対して塗装作業を行う。この際、足場用フレーム２の下端部から高欄部Ｂの底面下方に向かって補助足場台２’を張り出し、この補助足場台２’を利用して高欄部Ｂの外底面に対する塗装作業を行う。
【００２７】
足場用フレーム２が対面している高欄部Ｂの外側壁面Ｂ１部分に対する塗装が終わると、作業員が遠隔操作によって駆動モータ９を作動させて頂部車輪４を回転させ、足場装置Ａを高欄部Ｂの外側壁面Ｂ１に沿って次の塗装位置まで水平方向に前進させ、先に塗装した部分に連続した塗装作業を行う。なお、足場装置Ａを停止させることなく、作業員の作業能率に応じた速度でもって連続的に前進移動させながら塗装作業を行ってもよい。
【００２８】
この塗装作業中に、足場装置Ａが高欄部Ｂの内側壁面Ｂ２に沿って配設している電源ボックスや鉄柱等の障害物Ｃに達すると、内側の側部車輪７がこの障害物Ｃに付き合ったそれ以上、前進移動させることができない。そのため、足場装置Ａを一旦停止させ、障害物Ｃに対向した先行する前端側の側部車輪７を取り外す。この取外し作業は、足場用フレーム２の天枠部２Ｄにおける前端側の横水平フレーム部２ｄ１　の突出角筒部２ｄ１’とこの突出角筒部２ｄ１’に挿嵌している車輪フレーム３の水平フレーム部３ａとを固着しているボルト・ナット１２を取り外したのち、突出角筒部２ｄ１’から上記側部車輪７を装着している車輪フレーム３の水平フレーム部３ａを抜き取ることによって行われる。
【００２９】
また、この前端側の側部車輪７を装着している車輪フレーム３を取り外しても支持フレーム１に配設している全ての頂部車輪４が高欄部Ｂの上端面上に所定間隔毎に載せられてあり、且つ、残りの内側の側部車輪７、７と共に外側の側部車輪５、６とで足場用フレーム２を安定的に支持させておくことができる。そして、上記前端側の側部車輪７を装着している車輪フレーム３を取り外したのち、足場装置Ａを前進移動させて、上記障害物Ｃを図５に示すように、撤去した前端側の車輪フレーム３と次の中央部側の側部車輪７を装着している車輪フレーム３との間に位置させる。
【００３０】
この状態にして再び足場装置Ａを停止させ、上記前端側の側部車輪７を装着している車輪フレーム３を前端側の上記横水平フレーム部２ｄ１　の突出角筒部２ｄ１’にその水平フレーム部３ａを挿入してボルト・ナット１２により一体に固着したのち、上記中央部側の側部車輪７を装着している車輪フレーム３を、足場用フレーム２の天枠部２Ｄにおける中央側に固定している横水平フレーム部２ｄ３　の突出角筒部２ｄ３’から上記同様にして取外し、しかるのち、再び、足場装置Ａを前進移動させることによって、上記障害物Ｃを図６に示すように、撤去した中央部側の車輪フレーム３から後方に通過させ、支持フレーム１の中央部内側面と後端側の側部車輪７を装着している車輪フレーム３との間に位置させる。
【００３１】
以下、同様にして、中央部の側部車輪７を装着している車輪フレーム３を再び取付けたのち、後端側の側部車輪７を装着している車輪フレーム３を後端側の横水平フレーム部２ｄ２　の突出角筒部２ｄ２’から取り外して足場装置Ａを前進移動させることにより、図７に示すように、障害物Ｃを足場装置Ａの後端から後方に通過させ、しかるのち、後端側の側部車輪７を装着している車輪フレーム３を再び取り付けることによって足場装置Ａを元の状態にする。
【００３２】
このように、障害物Ｃを足場装置Ａに対して後方に相対的に通過させる間においても、足場用フレーム２内から対面する高欄部Ｂの外側壁面Ｂ１に対する塗装を行うものである。
【００３３】
次に、障害物Ｃが、例えば足場装置Ａの幅の１／２に達する広い幅を有する場合には、上記中央部側部車輪７を装着している車輪フレーム３を足場用フレーム２の天枠部２Ｄにおける上記中央の横水平フレーム部２ｄ３　の突出角筒部２ｄ３’から取り外して図８に示すように、その後方側に設けている後側角筒部材１４に装着し、足場装置Ａの前端側の側部車輪７が上記障害物Ｃに達すると、この側部車輪７を装着している車輪フレーム３を上記同様にして取り外したのち、足場装置Ａを前進移動させて障害物Ｃを図９に示すように、上記後側角筒部材１４に取付けている車輪フレーム３にまで到達させて該障害物Ｃを足場装置Ａの前端とこの車輪フレーム３との間に介在させた状態にする。
【００３４】
この状態にして前端側の側部車輪７を装着している車輪フレーム３を前端側の横水平フレーム部２ｄ１　の突出角筒部２ｄ１’に取付けたのち、上記後側角筒部材１４に装着している車輪フレーム３を取外し、図１０に示すように、足場装置Ａを前進移動させて障害物Ｃを後端側の側部車輪７にまで到達させる。
【００３５】
次いで、上記後側角筒部材１４から取り外しておいた車輪フレーム３を、今度は前側の角筒部材１３に取付けたのち、後端側の側部車輪７を装着している車輪フレーム３を後端側の横水平フレーム部２ｄ２　の突出角筒部２ｄ２’から取外し、足場台車Ａを前進させることによって障害物Ｃを図１１に示すように足場台車Ａから後方に通過させる。しかるのち、後端側の側部車輪７を装着している車輪フレーム３を上記後端側の突出角筒部２ｄ２’に取付けて足場装置Ａを前進移動させながら高欄部Ｂの外側壁面Ｂ１に対する塗装作業を行うものである。なお、上記のようにして障害物Ｃが、足場台車Ａの高欄部Ｂの長さ方向に前進移動させることによって後方に通過する際にも、高欄部Ｂの外側壁面Ｂ１に対する塗装作業を行うのは勿論である。
【００３６】
以上の実施の形態においては、障害物Ｃが高欄部Ｂの内側壁面Ｂ２に沿って設けられている場合について説明したが、外側壁面Ｂ１にも障害物Ｃが存在する場合には、上記移動足場装置Ａにおいて、図１２〜図１４に示すように、外側の上部側部車輪５を装着している足場用フレーム２における内側フレーム部２Ｂを構成している複数本（図においては前後と中央部との３本）の垂直枠部２ｂ１　〜２ｂ３　の上半部を、それぞれの上端部に一体に固着している前後及び中央の横水平フレーム部２ｄ１〜２ｄ３　の一部と共に取外し可能に構成しておけばよい。
【００３７】
各垂直枠部２ｂ１　〜２ｂ３　の上半部の下端面は、下半部の上端面に突き合わせ状態に接合して適宜な金具とねじ、或いはボルトによって分離可能に固定してあり、この上半部の上端面に固着している横水平フレーム部は障害物Ｃの内外面間の厚み以上の長さを有し、その両側端部を支持フレーム１上に固着している突出角筒部２ｄ１’〜２ｄ３’の外端面と外側垂直枠部２ｃ１　〜２ｃ３　の上端に一体に固着している一部の横水平フレーム部の内端面に対して適宜な金具を介して切り離し可能に連結させるように構成している。
【００３８】
このように構成したので、高欄部Ｂの外側壁面Ｂ１を塗装しながら足場装置Ａが前進移動して外側の障害物Ｃに達すると、足場装置Ａを一旦停止させたのち、前端側の垂直枠部２ｂ１　の上半部を横水平フレーム部２ｄ１　の一部と共に取り外し、しかるのち、足場装置Ａを前進移動させることによって障害物Ｃを足場用フレーム２の上半部側の前半部内に入れ込み、しかるのち、上記垂直枠部２ｂ１　と横水平フレーム部２ｄ１　とを元の足場用フレーム２の部分に装着すると共に、今度は中央部の垂直枠部２ｂ３　を中央部の横水平フレーム部２ｄ３　の一部と共に取外し、足場装置Ａを前進移動させて障害物Ｃを足場用フレーム２の上半部側の後半部内に入れ込む。
【００３９】
次いで、同様にして中央部の垂直枠部２ｂ３　と横水平フレーム部２ｄ３　とを元の足場用フレーム２の部分に装着したのち、後端側の垂直枠部２ｂ２　を横水平フレーム部２ｄ２　の一部と共に取外し、足場装置Ａを前進移動させて障害物Ｃを足場用フレーム２内から後方に通過させ、しかるのち、後端側の垂直枠部２ｂ２　を横水平フレーム部２ｄ２　と共に元の状態に取付けて高欄部Ｂの外側壁面Ｂ１に対する塗装作業を連続的に行うものである。
【００４０】
【発明の効果】
以上のように本発明の橋梁高欄部の移動足場装置によれば、請求項１に記載したように、橋梁の高欄部の上端面上を転動する複数個の頂部車輪を高欄部の長さ方向に所定間隔毎に取付けている平面長方形状の支持フレームに高欄部の外側壁面に沿わせた足場用フレームの上端部を固着、支持させると共に、この足場用フレームと上記支持フレームとに高欄部の上端部における内外側壁面を挟むようにして転動する側部車輪を装着して足場用フレームを橋梁の高欄部の外側壁面に沿って高欄部の長さ方向に移動させるように構成した移動足場装置において、上記内側の側部車輪を支持フレームの長さ方向の少なくとも３個所に間隔を存して配設すると共にこれらの側部車輪を支持フレームに対して着脱自在に取付けているので、この移動足場装置を橋梁の高欄部における外側壁面に沿って移動させながら塗装作業等を行っている最中に、該移動足場装置が橋梁の高欄部の内側壁面側に配設している電源ボックスや鉄柱等の障害物に突き当たった場合、この障害物と対向した側部車輪を取外したのち、移動足場装置を移動させて障害物がその取り外した個所を通過した時に該側部車輪を元の位置に装着することにより、障害物を避けながら足場装置を移動させることができ、高欄部の外側壁面に対する塗装等の作業が該高欄部の外側壁面全面に亘って連続的に能率よく行うことができる。
【００４１】
さらに、請求項２に係る発明によれば、上記内側の側部車輪は逆Ｌ字状の車輪フレームにおける垂直フレーム部の下端部に回転自在に軸支されてあり、この車輪フレームにおける水平フレーム部の先端部を支持フレームに長さ方向に所定間隔毎に固着している足場用フレームの角筒状上端横水平フレーム部に取外し可能に挿入、固定しているので、内側の側部車輪の着脱が簡単且つ迅速に行うことができ、障害物を足場装置の移動に従って円滑に通過させながら塗装等の補修作業が能率よく行うことができる。
【００４２】
また、請求項３に係る発明は、支持フレームに足場用フレームの角筒状上端横水平フレーム部と共に、車輪フレームの水平フレーム部の先端部を挿脱自在に固定させる角筒部材を一体に設けて、車輪フレームの取付位置を異なる位置に変更可能に構成しているので、障害物の幅が隣接する側部車輪間の幅よりも大きい場合には、中間の側部車輪の取付位置を変えることによって、隣接する側部車輪間の幅間隔を障害物の幅よりも大きくすることができ、従って、上述したように障害物に対向した側部車輪の車輪フレームを順次、取外すと共に障害物が通過後に装着して足場装置をその他の車輪により安定的に支持させながら移動させて高欄部の補修作業が行うことができる。
【００４３】
一方、請求項４に係る発明によれば、高欄部の外側壁面上を転動する外側の側部車輪を、足場用フレームの内側フレーム部に取付けて、この内側フレーム部の上部を側部車輪と共に支持フレームに対して着脱自在に連結しているので、高欄部の外側壁面に上記のような障害物が存在していても、上記内側の側部車輪と同様に、この外側の側部車輪を取付けている足場用フレームの内側フレーム部を取外し、障害物が通過後に装着することによって足場装置を高欄部の外側壁面に沿って水平方向に連続的に移動させながら塗装作業等を能率よく行うことができるものである。
【図面の簡単な説明】
【図１】移動足場装置の簡略正面図、
【図２】その簡略側面図、
【図３】簡略平面図、
【図４】足場用フレームを取り外した状態の一部分の簡略斜視図、
【図５】障害物を中央の側部車輪にまで到達させた状態の簡略平面図、
【図６】障害物を後端側の側部車輪にまで到達させた状態の簡略平面図、
【図７】障害物を足場装置の後端から後方に通過させた状態の簡略平面図、
【図８】幅広い障害物が足場装置の前部側に位置した状態の簡略平面図、
【図９】この障害物が足場装置の後端側に相対移動している状態の簡略平面図、
【図１０】この障害物が足場装置の後端側に達した状態の簡略平面図、
【図１１】足場装置の後端から後方に通過した状態の簡略平面図、
【図１２】高欄部の外側壁面側の障害物を避ける手段を備えた足場装置の簡略側面図、
【図１３】その簡略正面図、
【図１４】その簡略平面図、
【図１５】従来例を示す簡略正面図、
【図１６】その簡略側面図。
【符号の説明】
Ａ　移動足場装置
Ｂ　高欄部
Ｂ１　外側壁面
Ｃ　障害物
１　支持フレーム
２　足場用フレーム
３　車輪フレーム
４　頂部車輪
５、６　外側の側部車輪
７　内側の側部車輪
２ｄ１’〜２ｄ３’　突出角筒部
１３、１４　角筒部材
【図１】
2004100192.tif 000003
【図２】
2004100192.tif 000004
【図３】
2004100192.tif 000005
【図４】
2004100192.tif 000006
【図５】
2004100192.tif 000007
【図６】
2004100192.tif 000008
【図７】
2004100192.tif 000009
【図８】
2004100192.tif 000010
【図９】
2004100192.tif 000011
【図１０】
2004100192.tif 000012
【図１１】
2004100192.tif 000013
【図１２】
2004100192.tif 000014
【図１３】
2004100192.tif 000015
【図１４】
2004100192.tif 000016
【図１５】
2004100192.tif 000017
【図１６】
2004100192.tif 000018